(57)【要約】【課題】イメージや情報を表示する電光掲示板を構成するＬＥＤカバーモジュールであって、発光するＬＥＤとその周辺とのコントラスト比（Ｃｏｎｔｒａｓｔ  Ｒａｔｉｏ）が高く、電光掲示板に表示されるイメージや情報などがより鮮明となる、鮮明度を強化した電光掲示板用ＬＥＤカバーモジュールを提供する。【解決手段】配置されたＬＥＤが露出される露出孔が格子状に配列されて形成されるカバーと、前記カバーの前面に付着するブラック生地を含んでなることを特徴とする、鮮明度を強化した電光掲示板用ＬＥＤカバーモジュール。【選択図】図２
2017097323.tif 000002
【特許請求の範囲】
【請求項１】
配置されたＬＥＤが露出される露出孔が格子状に配列されて形成されるカバーと、
前記カバーの前面に付着するブラック生地を含んでなることを特徴とする、鮮明度を強化した電光掲示板用ＬＥＤカバーモジュール。
【請求項２】
前記ブラック生地は、撥水処理されていることを特徴とする、請求項１に記載の鮮明度を強化した電光掲示板用ＬＥＤカバーモジュール。
【請求項３】
前記ブラック生地は、前記カバーの前面に塗布され、前記カバーに付着する接着剤と、前記接着剤に植毛されたブラックの繊維糸を含むことを特徴とする、請求項１または請求項２に記載の鮮明度を強化した電光掲示板用ＬＥＤカバーモジュール。
【請求項４】
前記カバーには、後方の透視を可能にする透視ホールが格子状に配列されて形成されていることを特徴とする、請求項１ないし請求項３のいずれか１項に記載の鮮明度を強化した電光掲示板用ＬＥＤカバーモジュール。
【発明の詳細な説明】
【技術分野】
【０００１】
本発明は、イメージや情報を表示する電光掲示板を構成するＬＥＤカバーモジュールに関する。より詳しくは、発光するＬＥＤとその周辺とのコントラスト比（Ｃｏｎｔｒａｓｔ  Ｒａｔｉｏ）を高め、電光掲示板に表示されるイメージや情報などがより鮮明となるようにした、鮮明度を強化した電光掲示板用ＬＥＤカバーモジュールに関する。
【背景技術】
【０００２】
電光掲示板は、各種情報を表示するための装置であって、通常ＬＥＤなどの発光素子を行と列の格子状に配置し、前記発光素子を選択的に発光させることにより、イメージや情報を表示する大型ディスプレイ装置である。電光掲示板は、ＬＥＤ（すなわち、発光素子、発光ダイオード）の発光で、絵、文字、数字などの各種情報をイメージとして表示する。そのため、発光するＬＥＤの明るさとその周りの闇との差が表示イメージの鮮明度を左右する。つまり、発光するＬＥＤとその周辺とのコントラスト比（Ｃｏｎｔｒａｓｔ  Ｒａｔｉｏ）が大きいほど、電光掲示板に表示される情報の鮮明度が高くなる。ＬＥＤの発光光とのコントラスト比が一番大きい色（カラー）はブラック（ＢＬＡＣＫ）である。よって、電光掲示板におけるＬＥＤの周囲に配置されるカバーは、通常、ブラックのものを用いる。
【０００３】
ＬＥＤの照明角度は約１２０度であって、ＬＥＤから発する光の一部はカバーの前方表面で反射され、この反射された光はＬＥＤとその周辺とのコントラスト比（Ｃｏｎｔｒａｓｔ  Ｒａｔｉｏ）を下げ、反射された光の一部はＬＥＤに入射して電光掲示板の表示品質を低下させる。
【０００４】
このため、電光掲示板では、通常、カバーの表面に光吸収機能を有する（すなわち、光の反射率が低い）ブラックの塗料をコートして使用している。ところが、塗料の光吸収機能がそれほど優れておらず、外部環境に設置される電光掲示板における塗料の耐久性が脆弱であるという問題がある。さらに、雨や雪によってカバーの表面が水気に濡れると、塗料の光吸収機能は失われる。
【０００５】
このように、ＬＥＤ周辺のカバーから光が反射されて発光するＬＥＤとその周辺とのコントラスト比（Ｃｏｎｔｒａｓｔ  Ｒａｔｉｏ）が低くなることにより、電光掲示板に表示されるイメージの鮮明度が低下するとの問題を解決するために、特許文献１の「ＬＥＤ電光掲示板」、特許文献２の「回動自在の日除け板を有する発光ダイオードピクセル付き電光掲示板」などが提案されている。これらの電光掲示板では、ＬＥＤの周辺に日除け板が突設されるようにしてＬＥＤ周辺のカバーに光が照射されないようにすることにより、カバーからの反射光を極力抑え、カバーの表面から光が反射されても、反射された光がＬＥＤに入射しないようにしてＬＥＤとその周辺とのコントラスト比（Ｃｏｎｔｒａｓｔ  Ｒａｔｉｏ）が低くならないようにしている。
【０００６】
しかし、日除け板を利用する方式は、電光掲示板を正面から見るときは鮮明度が高いが、電光掲示板を少しでも傾斜方向から見れば日除け板がＬＥＤを遮るため、表示されるイメージに歪みが発生する致命的な問題がある。また、日除け板を備えることにより、カバーの製造原価が上昇し、突設される日除け板によりカバーの保管及び運搬などの取り扱いが難しくなる。
【先行技術文献】
【特許文献】
【０００７】
【特許文献１】韓国公開特許第１０−２０１５−００９８１６９号公報
【特許文献２】韓国登録特許第０４５８６０５号公報
【発明の概要】
【発明が解決しようとする課題】
【０００８】
本発明は、このようにＬＥＤ周辺のカバーから光が反射されて電光掲示板に表示されるイメージの鮮明度が低下する問題を解決するために案出されたもので、その目的は、
ＬＥＤ周辺のカバーにブラック生地を配置して入射光をほとんど吸収遮断して反射されないようにし、
ブラック生地を撥水処理することで、水気が流入してもすぐに流して除去できるようにすることにより、
ＬＥＤとその周辺とのコントラスト比（Ｃｏｎｔｒａｓｔ  Ｒａｔｉｏ）を高く維持して電光掲示板に一層鮮明なイメージが表示されるようにする、鮮明度を強化した電光掲示板用ＬＥＤカバーモジュールを提供することにある。
【０００９】
本発明の他の目的は、カバーに格子状に配列される透視ホールを備えることにより、電光掲示板の未駆動の際に支障なく後方の背景を見ることができる、鮮明度を強化した電光掲示板用ＬＥＤカバーモジュールを提供することにある。
【課題を解決するための手段】
【００１０】
上記の目的を達成するために、本発明に係る鮮明度を強化した電光掲示板用ＬＥＤカバーモジュールは、ＬＥＤが配置されて露出される露出孔が格子状に配列されて形成されるカバーと、前記カバーの前面に付着するブラック生地とを含んでなる。
【００１１】
また、前記ブラック生地は撥水処理されたことを特徴とする。
前記ブラック生地は、前記カバーの前面に接着剤を塗布し、ブラックの繊維糸を前記接着剤に植毛させることにより、前記カバーに付着することを特徴とする。
前記カバーには、後方の透視を可能にする透視ホールが格子状に配列されて形成されることを特徴とする。
【発明の効果】
【００１２】
このように構成される本発明に係る鮮明度を強化した電光掲示板用ＬＥＤカバーモジュールは、
ＬＥＤ周辺のカバーに付着するブラック生地が、入射光をほとんど吸収遮断して反射させず、
撥水処理されたブラック生地は、水気に濡れると水気をすぐに流し除去して水気による光の反射もないようにすることにより、
ＬＥＤとその周辺とのコントラスト比を最大化し、これによりＬＥＤからの発散光の色味を高め、光かぶりを減らして電光掲示板に一層鮮明なイメージが表示されるようにし、
さらに、格子状に配列されて形成された透視ホールは、電光掲示板の未駆動の際に電光掲示板の背景を見ることができるようにする、鮮明度を強化した電光掲示板用ＬＥＤカバーモジュールであって、産業の発展に非常に有用な発明である。
【図面の簡単な説明】
【００１３】
【図１】本発明に係る鮮明度を強化した電光掲示板用ＬＥＤカバーモジュールが用いられた電光掲示板の一例を示す斜視図である。
【図２】本発明に係る鮮明度を強化した電光掲示板のＬＥＤカバーモジュールを前方から見る分解斜視図である。
【図３】本発明に係る鮮明度を強化した電光掲示板のＬＥＤカバーモジュールを後方から見る分解斜視図である。
【図４】カバーに付着したブラック生地を示す拡大図である。
【発明を実施するための形態】
【００１４】
以下、添付図面を参照して、本発明に係る鮮明度を強化した電光掲示板用ＬＥＤカバーモジュールをより詳細に説明する。
【００１５】
本発明をより具体的に説明するに先立ち、
本発明は多様な変更を加えることができ、様々な形態を持つことができるもので、その具現例（態様、ａｓｐｅｃｔ）（または実施例）をここに詳細に説明するが、これは本発明を特定の開示形態に限定しようとするものではなく、本発明の思想および技術範囲に含まれるすべての変更、均等物または代替物を含むものと理解されなければならない。
【００１６】
各図面において、同一の参照符号、特に十の桁および一の桁、または十の桁、一の桁およびアルファベットが同じ参照符号は同一または類似の機能を持つ部材を示し、特に言及がない場合、図面の各参照符号が指す部材はこのような基準に準ずる部材と把握すればよい。また、各図面において、構成要素は、理解の便宜などのために、大きさや厚さを誇張して大きく（または厚く）或いは小さく（または薄く）表現しているか単純化して表現しているが、これによって本発明の保護範囲が制限的に解釈されてはならない。
【００１７】
本明細書で使用する用語は、特定の具現例（態様、ａｓｐｅｃｔ）（または実施例）を説明するために使用されたもので、本発明を限定しようとするものではない。単数の表現は、文脈上特に明記しない限り、複数の表現を含む。本出願において、「含む」または「からなる」などの用語は明細書上に記載した特徴、数字、段階、動作、構成要素、部分品またはこれらの組み合わせが存在することを指定しようとするものであり、一つまたはそれ以上の他の特徴、数字、段階、動作、構成要素、部分品またはこれらの組み合わせなどの存在または付加の可能性を予め排除しないものと理解されなければならない。
【００１８】
特に他に定義しない限り、技術用語や科学用語を含み、ここで使われるすべての用語は本発明の属する技術分野における通常の知識を有する者によって一般的に理解されるものと同じ意味を持っている。一般的に使われる辞典に定義されている用語は、関連技術の文脈上で持つ意味と一致する意味を持つものと解釈されなければならず、本明細書で明らかに定義しない限り、理想的な意味または過度に形式的な意味に解釈されない。
【００１９】
まず、図１を参照すると、電光掲示板は、四角形状の装着空間１を形成するフレームＦと、フレームＦの装着空間１に装着されるカバーモジュールＣとを含んでなる。
前記フレームＦは、縦方向と横方向に長さを伸ばして電光掲示板の縦、横のサイズを任意に調節することができるように組立式構造を有する。前記フレームＦは、組立式で縦、横のサイズを調節することができるように、骨格バー５と、骨格バー５を組み立てて接続するＬ字状（または逆Ｌ字状）の組立具３とを含んでなる。
【００２０】
図２に示すように、前記カバーモジュールＣは、カバー１０、ＬＥＤ２０、ＰＣＢ３０（回路基板）、支持板４０及びブラック生地５０を含んでなる。前記カバー１０には、格子状に配列される露出孔１１及び格子状に配列される透視ホール１３が形成される。露出孔１１は、横方向と縦方向に配列されて実装される前記ＬＥＤ２０が、露出されるように形成される。透視ホール１３は、後方の透視ができるように形成される。
【００２１】
図３に示すように、前記カバー１０の背面には挿入突起１５が形成され、前記ＰＣＢ３０及び前記支持板４０には、前記挿入突起１５を挿入するための挿入ホール３５及び４５が、それぞれ、形成される。
【００２２】
前記ＰＣＢ３０は、前記カバー１０の透視ホール１３に対応して透視孔３３が格子状に配列されて形成され、前記ＬＥＤ２０は、前記カバー１０の露出孔１に対応して前記ＰＣＢ３０に格子状に配列されるように実装される。前記支持板４０にも、前記前記カバー１０の透視ホール１３に対応して透視孔４３が格子状に配列されて形成される。
【００２３】
前記ブラック生地５０は、前記カバー１０の前面に付着し、入射光を吸収して遮断させる。前記ブラック生地５０は、黒色（ｂｌａｃｋ）であって、ＬＥＤ２０から発散する光とのコントラスト比が大きく、図４に示すように、細い繊維糸５１から構成されて入射光の反射率がゼロ（０）に近いため、反射光による光かぶり現象が著しく減少することによりＬＥＤ２０の光の色味を向上させるうえ、境界を明確にして、電光掲示板に表示されるイメージなどをより鮮明にする。
【００２４】
前記ブラック生地５０を構成する繊維糸５１には、ブラックの色を製造過程でつけた原着糸を、原資材として用いて、期間経過や周辺環境による色の変化を極力抑えることが好ましい。この実施の形態での前記繊維糸５１は、ナイロン材質を使用し、約１．５ＤＮの太さ及び約０．５ｍｍの厚さを有する。前記ブラック生地５０の繊維糸５１は、次の過程により、前記カバー１０の前面に強力に付着する。
【００２５】
まず、前記カバー１０を洗浄することにより、付着している異物を除去する。
次に、接着剤５５がカバー１０にさらに強力に接着されるように、カバー１０の前面にプライマー５３を塗布する。その後、カバー１０の前面に接着剤５５を塗布する。
【００２６】
次いで、ブラックの原着糸（つまり、ブラック生地５０を構成する繊維糸５１）を、フロック加工（ｆｌｏｃｋｉｎｇ）技法で、カバー１０に塗布された接着剤５５に植毛させる。ブローイングによって短い長さの原着糸５１を吹き付けて噴射式でカバー１０の接着剤５５の表面に接触させると、静電場の吸引力によって原着糸５１の一端は接着剤５５に浸透し、それにより原着糸５１の他端は表面に露出されて吸着する。
【００２７】
その後、上述したようなフロック加工技法でブラック生地５０が付着したカバー１０を７０℃〜７５℃で約１時間乾燥させた後、自然状態で１２時間以上乾燥させる。
【００２８】
次に、ブラック生地５０に水性フッ素系撥水剤を塗って撥水処理する。
その後、撥水剤の塗られたカバー１０を、約６５℃の高温乾燥熱風が吹く乾燥機内のコンベヤーに投入して１０分間熱風乾燥させる。
次に、再び撥水剤を塗布し、熱風乾燥させた後、自然で乾燥させて撥水効果を高める。
【００２９】
以上で本発明を説明するにあたり、添付図面を参照して、特定の形状と構造を持つ、鮮明度を強化した電光掲示板用ＬＥＤカバーモジュールについて説明したが、本発明は、当業者によって様々な変形及び変更が可能であり、それらの変形および変更も本発明の保護範囲に属するものと解釈されるべきである。
【符号の説明】
【００３０】
Ｆ      フレーム
Ｃ      カバーモジュール
１０    カバー
２０    ＬＥＤ
３０    ＰＣＢ
４０    支持板
５０    ブラック生地
【図１】
2017097323.tif 000003
【図２】
2017097323.tif 000004
【図３】
2017097323.tif 000005
【図４】
2017097323.tif 000006